(57)【要約】【課題】  遠隔操作可能なネットワークカメラによる監視方式。遠隔地に配置されている機器の電源状態の変化によってカメラのＰＴＺを自動で制御し、変化のあった機器を監視する。【解決手段】  従来、遠隔監視による機器制御や監視を行う場合に、電源制御機器，電源監視機器、カメラ機器など複数のモジュールを組み合わせるシステムが用いられてきた。しかし、この構成では利便性が低く、機能も比較的単純なものしかなかった為、決め細やかな監視に対応しづらかった。またＰＴＺカメラと組み合わせて電源監視を行う例が存在しなかった。本提案では、このようなシステムの利便性を向上させるために、機器の電源状態変化を感知し制御することが可能な一体型ＰＴＺカメラを提案する。電源タップとＰＴＺカメラを一体型にする事によって様様な柔軟な電源制御や状態把握が可能になる。【選択図】  図１
2005167798.tif 000002
【特許請求の範囲】
【請求項１】
ネットワークに接続されたカメラ制御することが可能な通信装置において、
他の機器の電源を監視する手段と、他の機器の電源を制御する手段と他の機器の電源変化に応じて、パン・チルトなどの動作を行う映像を取得する事を特徴とする映像取得送信蓄積装置。
【請求項２】
請求項１の映像取得送信蓄積装置において更に、電源の変化に応じて、その映像を取得し、補助記憶装置等に記録をし、閲覧する事が可能な映像取得送信装置。
【請求項３】
請求項１の映像取得送信蓄積装置において更に、電源の変化に応じて、その映像や情報を取得し、メールによって遠隔地のクライアントに対し、送信する事が可能な映像取得送信装置。
【請求項４】
請求項１の映像取得送信蓄積装置において更に、電源の変化に応じて、本実施例の装置に接続されている機器の電源のONやOFFなどの操作を行う事が可能な映像取得送信装置。
【発明の詳細な説明】
【技術分野】
【０００１】
本発明は、遠隔操作可能なPTZカメラの制御を遠隔監視している機器の電源状態に連動して動作するカメラ制御に関するものである。
【背景技術】
【０００２】
遠隔地にある監視対象物に対しての監視をする技術において、監視対象物の情報や、遠隔地の映像を別々に扱う事が多かった。しかし、これらもデジタル方式の遠隔管理網が発達することにより、映像や遠隔機器操作をデジタル信号網を用いて監視する事で映像や操作を連動させる事例が出始めている。例えば、特開平8-154243に示されるように、遠隔で発生したアラーム情報に対して自動で対応し、遠隔地でカメラの電源のONやOFFを操作できたりする事が可能になっている。また特開平7-271426では、遠隔カメラによる機器監視及び機器制御を行う事を可能としている。
【０００３】
更に現在、遠隔監視を可能とするパン・チルト・ズームを行う事が可能なネットワークPTZカメラというものが実用化されておりこれらを用いてインターネット網(TCP/IP網)などのデジタル方式のネットワークを用いて、遠隔地からのカメラの閲覧とカメラの制御等が可能になってきている。
【発明の開示】
【発明が解決しようとする課題】
【０００４】
従来の技術に示されるように、遠隔地にある監視対象物の異常などの通知等は実際に行われてきてはいるが、ネットワークPTZカメラのようなパン・チルト・ズーム動作が可能な遠隔操作可能なカメラが、監視対象物の変化に応じて、パン・チルト・ズーム動作を自立的に動作を起こし撮影をするといった技術は存在しなかった。
【０００５】
その為、仮に監視対象物を遠隔操作可能なネットワークPTZカメラを用いても手動で動作させる必要があり、非常に手間のかかる作業となった。
【０００６】
また、遠隔監視による機器制御や監視を行う場合に、電源制御機器、電源監視機器、カメラ機器など複数のモジュールを組み合わせるシステムが用いられてきた。しかし、この構成では利便性が低く、機能も比較的単純なものしかなかった為、決め細やかな監視に対応しづらかった。またPTZカメラと組み合わせて電源監視を行う例が存在しなかった。
【０００７】
本提案の発明の目的は、遠隔地にある監視対象物の状態の変化に対応して、パン・チルト・ズームカメラを用いて連動させ、デジタルネットワーク網を用いた遠隔自動監視を行うものである。
【課題を解決するための手段】
【０００８】
本提案では、このようなシステムの利便性を向上させるために、機器の電源状態変化を感知し制御することが可能な一体型PTZカメラを提案する。電源タップとPTZカメラを一体型にする事によって様様な柔軟な電源制御や状態把握が可能になる。監視対象物を、電源を扱っている機器として捕らえ、その電源電圧の変化に応じてネットワークPTZカメラが動作する事で自立的な遠距離監視を可能とする。
【０００９】
これにより監視対象物の状態変化を常時監視し、その変化状態に合わせてパン・チルト・ズームを行いネットワークカメラでその映像を閲覧したり、蓄積したりする事が可能になる。
【発明の効果】
【００１０】
以上説明したように，本発明によれば、遠隔地にある監視対象物の状態の変化に対応して、パン・チルト・ズームカメラを用いて連動させ、デジタルネットワーク網を用いた遠隔自動監視を行う事が可能になる。
【発明を実施するための最良の形態】
【００１１】
(第一の実施例)
本実施例は、システム全体に関する詳細と適用例として部屋への侵入者の検知を行いPTZカメラを自動で操作をして画像を取得し、蓄積もしくは送信を行う方法の実施例である。
【００１２】
図１は、本実施例のシステム全体を示す構成図である。100-001及び100-002は対象となる監視物である。この監視物は図では監視される機器を示している。監視する対象を機器としているが、機器以外でも構わない。例えば、機器に作用によって影響を受ける部分や人や場所を撮影の対象としても良い。これらの監視対象物である機器の電源は、100-003に示される本提案のシステムに接続されている。本提案のシステムは更に、100-004に示される電源に接続される。機器A(100-001)及び機器B(100-002)はそれぞれ、100-003の本提案のシステムから電源の配給を受ける。これによって本提案のシステムは、機器A(100-001)及び機器B(100-002)の電源電圧の変動を監視すると同時に、システムによって電源をONにすることもOFFにすることも可能になる。
【００１３】
また、本提案のシステムは、100-005に示されるインターネット網に接続されている。このインターネット網は、既存のTCP/IPネットワークを用いても良いし、同様の働きをするデジタルネットワーク網を用いても良い。
【００１４】
更に、インターネットを通して、100-006に示されるように、クライアント装置は、パソコンなどの電子機器装置によって遠隔操作が可能である。この装置は特に特定のものを限定するものではなく、インターネット網に接続可能で100-003との接続が可能なプロトコルを用いていれば、どのような手段や装置を用いても良い。本実施例では、特にHTTPプロトコルによって実現しており、100-006の画像には、100-007に示されるようにHTMLページなどを用いたGUIや動画像が提供される。100-006に示されるクライアント装置は、標準のWWWブラウザソフトやJava（登録商標）実行環境を用いることで、GUIを提供する事が可能である。
【００１５】
更に、本提案のシステム100-003は、電子メールを送出するプロセスを持っている。これによって、クライアント装置100-006は、機器A及び機器Bの変化を電子メールという形で知る事も可能である。
【００１６】
図２は、本提案のシステムの概観装置詳細を示している。
【００１７】
200-001はPTZカメラ部分を示している。カメラ部分が、パン・チルト・ズームが可能であるために撮影範囲を広範囲に映し出すことが可能である。200-005は本体全体を示している。この部分内に各装置やソフトウェアなどが搭載される。200-003はネットワーク接続部を示している。ネットワーク接続は、前述の通りインターネットなどのTCP/IPを接続することが可能である。しかし、これに限定せず同様のデジタルネットワーク網であれば、何を用いても良い。200-004は電源装置部分を示している。電源を監視される監視対象となる機器は、電源をこのポートを用いて供給する。200-002は全体の電源取得する部位である。
【００１８】
このように監視する対象となる装置の電源を本提案のシステムから供給監視管理される事で、問題解決の手段を本提案では提供をする。
【００１９】
図３は、本提案のシステムの内部構成を示すものである。
【００２０】
内部の構成は300-012に示されるバスラインを中心に構成される。このバスラインによって全ての内部装置が接続をされている。300-001は中央演算処理装置を示している。ソフトウェアの解釈と実行と各装置への命令を行う部分である。300-007は主記憶装置を示している。一般的にはメモリであり300-001の中央演算処理装置が計算処理を行ったデータの一時記憶が行われたり、ソフトウェアプログラム自体が配置されたりする。300-002は補助記憶装置を示している。本実施例では特にハードディスクを用いている。しかし、これに限定せず容量の大きな補助記憶装置であれば何を用いてもよい。現状では光磁気ディスクや外部メモリなどを用いる事が可能である。300-003は画像入力装置を示している。これは200-001で示されるPTZカメラの画像を中央演算処理装置からデジタルデータとして取得を行う為の装置である。この装置は300-004のCCDカメラに接続されている。本実施例ではCCDカメラを用いているが、300-003の画像入力装置が正常にカメラの映像を取得出来て同様の役割を果たすことが可能であれば他のカメラ等を用いても構わない。300-009はネットワーク通信装置を示している。この装置によって300-008で示されるネットワーク網に接続が可能である。本実施例では10/100BaseTを用いているが特にこれに限定する事はなく、用いるネットワーク網によって変更することが可能である。300-010はカメラ制御装置を示している。カメラ制御装置は、300-011に示される雲台制御装置に接続されている。この装置によって、中央演算処理装置は、PTZカメラをパン・チルト・ズームする事が可能になる。
【００２１】
本提案のシステムは、以上のようなシステム構成を用いて動作をする事が可能である。
【００２２】
図４は、100-006に示されるクライアント装置上に表示されるGUI及び情報表示例を示している。
【００２３】
400-001は、PTZカメラのライブの画像を表示させることが可能である。これは既に実用化されている部分であり特に本提案では言及しない。
【００２４】
400-002は、電源装置のONやOFFを手動で行う場合に用いられるGUIである。GUIであると同時に現状の電源の状況を示している。
【００２５】
400-003は、蓄積映像の表示をする部分を示している。本提案のシステム内の補助記憶装置に記録されている映像を表示するGUIである。これで過去の映像を確認する事が可能である。
【００２６】
400-004は、電源電圧の履歴を示している。これによって過去の機器状態の変化を蓄積動画と同様に確認することが可能になる。
【００２７】
図５は、電源監視スケジュール設定GUIを示している。
【００２８】
本提案のシステムは、電源の変化や時間などに関して決められた動作を行う事を特徴とする為、本部分で特に詳細を示す。
【００２９】
500-003は電源変化に関するスケジュールの設定されている全項目を示している。追加されたスケジュールはこの部分に表示される。500-002はスケジュール項目の追加を行うGUIである。状態リストを用いて、電源に関する状態を設定する事が可能である。この電源の状態は、ON→OFF、OFF→ONへの状態の変化だけにかかわらず、OFF状態がある一定の状態続いた場合を検出するなど、様々な電源の状態を判定出来るように項目を選ぶことが可能である。また、動作リストで、その選択した状態のときに、何をするかを設定する事が出来る。
【００３０】
これは複数選び、それを順序立てて設定することも可能である。この動作リストでは、カメラのパン・チルト・ズーム動作をさせる事が可能だったり、ある一定の位置をプリセットとして扱い、そのパン・チルト・ズームを行ったり、映像を蓄積したり、メールでその内容を通知したり、更には、接続されている機器の電源制御を行う事が可能である。
【００３１】
500-001では、これらの設定で選らばれたものを表示している。設定された内容で「設定」ボタンを押すことで、500-003のリストに追加される。
【００３２】
このようにして、本提案のシステムは、機器の電源状態の変化や状態によって、柔軟に、映像の蓄積を行ったり、カメラのパン・チルト・ズーム動作を行ったり、メールを用いて通知を行ったり、機器の電源の制御を行ったりする事が可能である。
【００３３】
図６は、本提案のシステム内で保持しているデータ郡を示している。
【００３４】
６００−００１は電源ラインテーブルを示している。電源ラインの状態データなどを保持する。600-002は動作スケジュールデータを示している。図５で示されるユーザーの設定する電源監視の条件や動作に関する情報が保持される。600-003は映像蓄積データを示している。録画される動画像情報はこのデータに保持される。600-004は、電源ライン状態マスタを示している。このデータは図５で示されユーザーの設定用にどのような電源状態の変動を監視することが出来るかという情報を保持している。600-005は電源Lineの履歴データを示している。電源電圧の変動の記録や、本提案のシステムのON-OFF状況などが記録される。600-006は動作マスタを示している。この動作マスタは、図５で示されるユーザーの設定のときに、本提案のシステムがどのように動作するかを追記することが可能である。600-007はPreset位置情報を示している。Presetとは、カメラのパン・チスト・ズームを行う事が可能である場合に、パン・チルト・ズーム位置にわかりやす名前をつけて扱いやすくするものである。これを設定GUIなどでも用いる事で利便性を増加させている。
【００３５】
これらの内部保持データに関して詳細を後述する。
【００３６】
図７は、電源ラインテーブルの詳細を示している。
【００３７】
このデータは、本提案のシステムに接続されている監視対象の機器のリストと電源の状態を示している。
【００３８】
この情報を基にして、GUIの電源状態の表示や、スケジュール動作による電源状態の対応に関して、この情報が元に判断がされる。
【００３９】
図８は、電源ライン状態マスタの詳細を示している。
【００４０】
本提案のシステムがどのような電源状態の検知が出来るか、その詳細情報が記述される。
【００４１】
この情報は、本提案のシステムによって電源監視をする際に参照される。
【００４２】
図９は、動作マスタの詳細を示している。
【００４３】
動作マスタでは、本提案のシステムが動作条件を検知した場合に、動作する内容のテーブルを持っている。
【００４４】
この情報は、本提案のシステムによって電源監視をする際に参照される。
【００４５】
図１０は、動作スケジュールデータの詳細を示している。
【００４６】
このスケジュールデータが、ユーザーが設定する電源監視条件とその条件を検知した場合に、どのように動作するかが記録される。
【００４７】
図１１は、電源ラインの履歴情報の詳細を示している。
【００４８】
ここでは電源ラインの電圧情報や、スケジュール動作による電源の制御情報などが記述される。
【００４９】
この情報によって、過去の電源の変動状態やイベントの発生などを知ることが可能になる。
【００５０】
図１２は、プリセット位置を示すテーブルの詳細を示している。
【００５１】
このテーブルは、カメラのパン・チルト・ズーム位置に対してわかりやすい名前と番号をつけている。
【００５２】
ユーザーがカメラ位置を設定する際に、このプリセット名を使用することで、利便性を向上する事が可能になっている。
【００５３】
図１３は、映像蓄積データの詳細を示している。
【００５４】
この情報では、イベントが発生した際の蓄積映像や、映像を録画した時間、パン・チルト・ズーム位置などが記録される。
【００５５】
これは、後から参照することが可能であり、これによって監視用途に本提案のシステムを使う事が可能になる。
【００５６】
これらの情報は以下に後述する各プロセスによって使用される。
【００５７】
以下、本提案のシステムの動作を示すブロック図を示す。
【００５８】
図１４は、本提案のシステムのブロック図を示している。
【００５９】
140-001は、監視対象となる機器に接続される電源ポートを示している。このポートは、140-002に示される電源監視回路に接続されている。更に電源ラインは、140-003に示される電源制御回路に接続されている。この回路を用いることで、本提案のシステムは、監視対象となる機器に対して電源の制御も可能になる。140-004は外部電源への接続を示している。この部分から通常の商用電源に接続をする。
【００６０】
140-005は電源監視プロセスを示している。このソフトウェア手段は、電源監視回路140-002を常に監視しており、電源状態の変動を常に監視する。また、140-006で示される電源制御プロセスは、電源制御回路140-003に接続される。電源制御プロセス140-006は電源制御回路へ情報を出し、電源のON-OFFの制御などを行っている。これら部分の構成によって、接続される監視される機器などの電源の状態検知や電源制御を行う事が可能である。
【００６１】
一方、本提案のシステムのもうひとつの重要な要素であるPTZカメラ140-010は、PTZカメラプロセス140-009に接続される。これによって、PTZカメラ制御プロセスはカメラのパン・チルト・ズームを行う事が可能になる。また映像は、映像取得プロセス140-001に接続されている。このような装置構成によって、カメラのパン・チルト・ズームが可能になると同時に映像を表示することが可能になる。
【００６２】
本提案の中心となるのは、140-008に示されるスケジュール・アラーム実行プロセスである。
【００６３】
このプロセスは、電源監視プロセスや、140-007で示されるタイマー通知プロセスなどによって時間的、もしくは電源ラインの電圧異常を検出し、動作スケジュール情報を元にして構成をしている。
【００６４】
これらのアラームによって、PTZカメラ制御プロセスなどの情報を送ることで、カメラをパン・チルド・ズーム動作を行うことが可能である。
【００６５】
また、140-012にて映像の蓄積を行う。これも140-008の指示によって動作する。
【００６６】
更に、140-013で示されるメール送信プロセスによって、電源ラインの異常などを、メールで情報を送ることが可能にもなっている。
【００６７】
これらのそれぞれのプロセスは後述されるようなフローにて動作を行っている。
【００６８】
図１６は、カメラサーバ管理プロセスのフローを示している。
【００６９】
このプロセスは、全体のプロセスの起動と内部保持データの管理を行っている。
【００７０】
160-001から処理がスタートし、160-002で各マスタやデータなどの情報を補助記憶装置から読み込みを行ったりする。160-003〜160-010にて、各プロセスを起動している。その後終了までこのプロセスは特に特徴的な動作は行わない。
【００７１】
図１７は、電源監視プロセスのフローを示している。
【００７２】
電源監視プロセスの役割は、監視される機器類の電源電圧の変動に関しての監視を行っており、変化があると、その内容をスケジュール・アラーム実行プロセスへの通知を行うことである。
【００７３】
170-001から処理が始まる。170-002にて電源管理に関係する情報の読み込みや初期化を実施する。170-003にて電源状態の変化があるまで待機を行う。電源状態の変動を感知すると、170-004にて電源電圧の読み込み等を行い、170-005にて電源ラインマスタ情報にて、実際の状態とマッチしたかどうかを照合処理を行う。もし、マスタに存在する電源情報に関しての状態変化を検出がされると、170-006にてスケジュール・アラーム実行プロセスへの通知を行う。通知を行った後に、再び電源ライン監視状態となる。
【００７４】
このような動作を通して、本提案のシステムは、電源電圧の状態変化を把握する事が可能である。
【００７５】
図１８は、電源制御プロセスのフローを示している。
【００７６】
電源制御プロセスの役割は、電源のON-OFFを行う事である。この電源のON-OFFの動作の指令自体は、スケジュール・アラーム実行プロセスが行う。
【００７７】
処理は、180-001から始まる。180-002にて電源制御プロセスの初期化を行う。その後180-003にて、スケジュール・アラーム実行プロセスからの電源のON-OFFを行う指令を待つ。スケジュール・アラーム実行プロセスからの指令があると、180-004にてその指令にあわせて、監視される機器の電源のON-OFFを行う。
【００７８】
このような動作を通して、本提案のシステムは、機器の電源の変動を制御することが可能となる。
【００７９】
図１９は、タイマー通知プロセスのフローを示している。
【００８０】
タイマー通知プロセスの役割は、スケジュール・アラーム実行プロセスに対して時間の経過を通知することである。本提案のシステムは時間による動作なども考慮されるため、本プロセスが必要となる。
【００８１】
処理は、190-001から始まる。190-002にてタイマーの初期化を行う。その後、190-003にて単位時間の経過を待つ。単位時間の経過を190-004にて、スケジュール・アラーム実行プロセスに通知される。
【００８２】
図２０は、PTZカメラ制御プロセスのフローを示している。
【００８３】
PTZカメラ制御プロセスの役割は、実際に雲台装置に対して、パン・チルト・ズームの動作を行うようにハードウェアに指令を出す事である。また、この動作はスケジュール・アラーム実行プロセスによってカメラの動作位置が決定される。
【００８４】
処理は、200-001にて開始される。200-002にて雲台装置の初期化等が行われる。その後は、200-003にて、スケジュール・アラーム実行プロセスからのカメラの動作要求を待ち、もし、要求があれば、200-004にてカメラのPTZ制御の実施を行う。
【００８５】
図２１は、映像取得プロセスのフローを示している。
【００８６】
映像取得プロセスの役割は、実際にカメラからの映像情報を取得することである。取得した画像情報は、画像の要求を行ってきたプロセスに対して通知をする。
【００８７】
処理は、210-001から開始される。210-002にて映像取得プロセスの初期化を実施する。その後、210-003にて映像の取得を行ったのちに、210-004にてプロセスからの画像の要求があるかどうかを確認する。もし、あれば、210-005にて、要求してきたプロセスに対して映像データを渡し、再び画像の取得を行う。以降、このような処理を繰り返す。
【００８８】
画像データの要求は、映像蓄積プロセスやメール送信プロセスなどから受けることになる。
【００８９】
常に要求に対しての最新の画像を提供出来るようになっている。
【００９０】
図２２は、映像蓄積プロセスのフローを示している。
【００９１】
映像蓄積プロセスの役割は、実際の映像の補助記憶装置等への記録である。
【００９２】
処理は、220-001から開始される。220-002にて映像蓄積プロセスの初期化を行う。その後、220-003にて動作要求の待機を行う。動作の指示は、スケジュール・アラーム実行プロセスによって行われる。この要求があると、220-004にて映像取得プロセスへ画像の要求を行い、220-005にて取得された画像データを補助記憶装置に記録する。その後、220-006で、指示されている分の長さだけ蓄積動作を行い、終了すると、再び要求待ちとなる。
【００９３】
図２３は、メール送信プロセスのフローを示している。
【００９４】
メール送信プロセスの役割は、状態の変化の通知をサーバ側からクライアントに対して行う事を行っている。
【００９５】
処理は、230-001から実行される。230-002にてメール送信プロセスが初期化される。その後、230-003にてスケジュール・アラーム実行プロセスからのメール送信要求を待ち、要求があると、230-004にて実際に、機器の電源情報や映像情報がメールされる。
【００９６】
図２４は、クライアント通信プロセスのフローを示している。
【００９７】
クライアント通信プロセスの役割は、クライアントからの要求や情報の通知を行う事にある。
【００９８】
その為、非常に多くのコマンドや要求がされ、それに対して処理を行うもしくは、要求情報の提示を行う。
【００９９】
処理は、240-001から開始される。240-002にてクライアント送信プロセスの初期化が行われる。その後、240-003にてクライアントからの要求を待つ。もし、要求があると、240-004にてその要求の解釈が行われ実際に処理が実行される。
【０１００】
240-005〜240-023は、クライアントからの処理に対して実際に実行を行う処理のフローを示している。
【０１０１】
処理は、ライブ画像の要求240-005、カメラ制御要求240-006、電源ライン状態情報取得要求240-007、電源ラインの実際のON-OFFの制御240-008、蓄積画像の要求240-009、設定内容の取得240-010、クライアントからの状態の設定240-011などを行う。
【０１０２】
これらの処理によって、クライアントからの要求を全てサービスとして提供する。結果及びGUIは、HTML情報やXML情報によって提示されるため、クライアントは既存のブラウザソフト等を用いることでこれらの閲覧や処理の要求を行う事が可能である。
【０１０３】
図１５は、スケジュール・アラーム実行プロセスのフローを示している。
【０１０４】
スケジュール・アラーム実行プロセスの役割は、クライアントから設定された条件の電源の変化のイベントや時間に対しての処理を実際に行うプロセスである。
【０１０５】
処理は、250-001から開始される。250-002にてスケジュール・アラーム実行プロセスの初期化が行われ、250-003にて動作スケジュールデータを読み込み、250-004にてイベントを待つ状態になる。
【０１０６】
イベントが、単位時間の経過（タイマープロセスからの通知）や電源ラインの状態の変化（電源監視プロセス）があると処理を行う。250-005〜250-014はその処理を行っている。
【０１０７】
250-011にて、設定データに従い、PTZカメラを設定されているパン・チルト・ズーム位置に移動をするように、PTZカメラ制御プロセスに要求を行う。その後、設定データに従い、映像蓄積プロセスに対して、蓄積を要求する。更に、設定データに従い、機器の電源の制御を行う。これは、250-013によって行われ、電源制御プロセスに対して要求を行う。このような処理を設定されている回数実施した後に、再びイベント待ちとなる。
【０１０８】
このような処理は、単位時間経過イベントや電源ライン状態変化イベントにおいて大きな差は特にない。
【０１０９】
本提案のシステムは、以上のような動作によって課題の解決を行う。
【０１１０】
実施例１では、このようなシステムを使い部屋の侵入者の検知を行う。
【０１１１】
実際には、本提案のシステムに部屋の照明等の電源を接続し、本提案のシステムによって部屋の電気の使用量監視し、変動があれば、部屋全体の映像を一定時間蓄積することで、可能となる。
【０１１２】
また、メールの通知によって部屋に侵入されたリアルタイムな情報も取得する事が可能である。
【０１１３】
(第二の実施例)
実施例２では、実施例１で説明したシステムを用いて、機器の監視を行う事が可能である。
【０１１４】
例えば、接続機器の電源がOFFになることを検知するように設定した場合に、使用している機器のフューズ飛びなどの監視が可能である。実施例１の時と同様にメールをクライアントに送信することで、フューズが飛んでしまった事をリアルタイムに監視することが可能である。
【０１１５】
(第三の実施例)
実施例３では、実施例１で説明したシステムを用いて、機器の一定時間の使用頻度を監視する事が可能である。例えば、接続機器が電気ポットなどを用いて、一定時間内のポットの使用の有無に関して監視を行う事が出来る。
【０１１６】
更には、一定の時間の使用状況が見られない場合に、一定のプリセットを順次巡回するオートクルーズ機能も利用することが可能である。
【０１１７】
この機能により遠隔地にいる老人などの電気ポットの使用頻度によってその老人の健康状態等の類推に役に立つと思われる。これは老人介護等に応用する事が可能である。
【０１１８】
また、遠隔操作可能なカメラを通して様子を確認する事も可能である。
【図面の簡単な説明】
【０１１９】
【図１】システム構成全体図
【図２】装置概観
【図３】本提案内部構成図
【図４】電源ライン毎の状態履歴
【図５】電源監視スケジュール設定
【図６】カメラサーバ内データ群
【図７】データ：電源ラインテーブル
【図８】データ：電源ライン状態マスタ
【図９】データ：動作マスタ
【図１０】データ：動作スケジュールデータ
【図１１】データ：電源Ｌｉｎｅ履歴
【図１２】データ：Ｐｒｅｓｅｔ位置テーブル
【図１３】データ：映像蓄積データ
【図１４】本提案機器ブロック図
【図１５】スケジュール・アラーム実行プロセスフロー
【図１６】カメラサーバ管理プロセスフロー
【図１７】電源監視プロセスフロー
【図１８】電源制御プロセスフロー
【図１９】タイマー通知プロセスフロー
【図２０】ＰＴＺカメラ制御プロセスフロー
【図２１】映像取得プロセスフロー
【図２２】映像蓄積プロセスフロー
【図２３】メール送信プロセスフロー
【図２４】クライアント通信プロセスフロー
【図１】
2005167798.tif 000003
【図２】
2005167798.tif 000004
【図３】
2005167798.tif 000005
【図４】
2005167798.tif 000006
【図５】
2005167798.tif 000007
【図６】
2005167798.tif 000008
【図７】
2005167798.tif 000009
【図８】
2005167798.tif 000010
【図９】
2005167798.tif 000011
【図１０】
2005167798.tif 000012
【図１１】
2005167798.tif 000013
【図１２】
2005167798.tif 000014
【図１３】
2005167798.tif 000015
【図１４】
2005167798.tif 000016
【図１５】
2005167798.tif 000017
【図１６】
2005167798.tif 000018
【図１７】
2005167798.tif 000019
【図１８】
2005167798.tif 000020
【図１９】
2005167798.tif 000021
【図２０】
2005167798.tif 000022
【図２１】
2005167798.tif 000023
【図２２】
2005167798.tif 000024
【図２３】
2005167798.tif 000025
【図２４】
2005167798.tif 000026